(57)【要約】【課題】一本の指で筆記することができるにもかかわらず、インク切れを心配せずに長時間筆記することができる筆記具を提供する。【解決手段】筆記具１００は、指サック部１０と、インクタンク部２０と、チューブ部３０と、を備える。指サック部１０は、指にはめられるようになっている。インクタンク部２０は、インクを格納する。チューブ部３０は、インクタンク部２０に格納されているインクを指サック部１０に供給する。【選択図】図１
2019116058.tif 000002
【特許請求の範囲】
【請求項１】
指にはめる指サック部と、
インクを格納するインクタンク部と、
前記インクタンク部に格納されているインクを前記指サック部に供給するチューブ部と、
を備える筆記具。
【請求項２】
前記インクを被描画材に塗布するペン先部をさらに備え、
前記チューブ部は前記ペン先部を接続するペン先接続部を備える、
請求項１に記載の筆記具。
【請求項３】
前記ペン先部を接続するペン先延長部をさらに備え、
前記チューブ部は前記ペン先接続部に前記ペン先延長部を接続できる、
請求項２に記載の筆記具。
【請求項４】
前記インクが絵具であり、
前記チューブ部のチューブの内径が２ｍｍ以上５ｍｍ以下である、
請求項１から３のいずれか１項に記載の筆記具。
【請求項５】
前記インクが墨汁であり、
前記チューブ部のチューブの内径が１ｍｍ以上２ｍｍ以下である、
請求項１から３のいずれか１項に記載の筆記具。
【請求項６】
前記インクタンク部は、前記インクを補充するためのインク補充口を備える、
請求項１から５のいずれか１項に記載の筆記具。
【発明の詳細な説明】
【技術分野】
【０００１】
本発明は、絵画用品の絵筆の代わりになる美術道具、書道等に用いる筆の代わりになる書道用品、文字を書くためのペンの代わりになる筆記用具等の筆記具に関する。
【背景技術】
【０００２】
従来の筆記具を使用する場合、筆記する際に、筆記具を複数の指で支える必要がある。このため、指に障害がある人、指に力が入らない人等、指で筆記具を支えることができない人は、筆記具を使用することができない。また、筆記具の先端部分（ペン先、筆先等の筆記する部分）と指で支えている部分との間がかなり離れているため、人によっては思うような位置に筆記できないことがある。このような問題点を解消するための筆記具として、例えば、特許文献１には、指サックに小さなペン等を取り付けることによって、一本の指のみで筆記することができる指先ペンが開示されている。
【０００３】
また、美術道具として筆記具は、絵画を描くためだけでなく、絵画を楽しみながら描くことによって脳を活性化させ、認知症の予防及び症状改善、子どもの感性教育等を行うアートセラピーにも用いられている。
【先行技術文献】
【特許文献】
【０００４】
【特許文献１】特開２００８−４４３３３号公報
【発明の概要】
【発明が解決しようとする課題】
【０００５】
特許文献１に記載されている指先ペンは、一本の指のみで筆記することができるが、指サックに取り付けることができるペンは小さいため、インク切れが生じやすいという課題がある。
【０００６】
本発明は、上記実情に鑑みてなされたものであり、一本の指で筆記することができるにもかかわらず、インク切れを心配せずに長時間筆記することができる筆記具を提供することを目的とする。
【課題を解決するための手段】
【０００７】
上記目的を達成するため、本発明に係る筆記具は、
指にはめる指サック部と、
インクを格納するインクタンク部と、
前記インクタンク部に格納されているインクを前記指サック部に供給するチューブ部と、
を備える。
【発明の効果】
【０００８】
本発明によれば、一本の指で筆記することができるにもかかわらず、インク切れを心配せずに長時間筆記することができる。
【図面の簡単な説明】
【０００９】
【図１】本発明の第１の実施形態に係る筆記具の全体構成を示す図である。（ａ）は筆記具を横から見た図であり、（ｂ）は指サック部にチューブ部が入っている部分を上から見た図である。
【図２】第１の実施形態に係るペン先部の例を示す図である。（ａ）は細字用ペン先部、（ｂ）は中太用ペン先部、（ｃ）は極太用ペン先部、（ｄ）はブラシペン先部、（ｅ）は毛筆ペン先部を示す図である。
【図３】第１の実施形態に係るペン先延長部の例を示す図である。（ａ）は通常のペン先延長部、（ｂ）は角度付きペン先延長部を示す図である。
【図４】第１の実施形態に係る筆記具の指サック部を右手の人差し指に装着して使用している例を示す図である。
【図５】本発明の第２の実施形態に係る筆記具の全体構成を示す図である。（ａ）は筆記具を横から見た図であり、（ｂ）は指サック部にチューブ部が取り付けられている部分を上から見た図である。
【図６】第２の実施形態に係るペン先部の例を示す図である。（ａ）は細字用ペン先部、（ｂ）は中太用ペン先部、（ｃ）は極太用ペン先部、（ｄ）はブラシペン先部、（ｅ）は毛筆ペン先部を示す図である。
【図７】第２の実施形態に係るペン先延長部の例を示す図である。（ａ）は通常のペン先延長部、（ｂ）は角度付きペン先延長部を示す図である。
【発明を実施するための形態】
【００１０】
以下、本発明の実施形態に係る筆記具について、図面を参照して詳細に説明する。なお、図中同一又は相当部分には同一符号を付す。
【００１１】
（第１の実施形態）
図１（ａ）に示すように、本発明の第１の実施形態に係る筆記具１００は、指サック部１０と、インクタンク部２０と、チューブ部３０と、を備える。そして、指サック部１０とインクタンク部２０とは、チューブ部３０によって接続されている。
【００１２】
指サック部１０は、通常の指サックと同様に、ゴム等の素材でできており、図１（ｂ）に示すように、チューブ接続口１１と、チューブ挿入口１２とが開いている。チューブ部３０は、チューブ挿入口１２を通って、指サック部１０の内部から、チューブ接続口１１に接続されている。チューブ接続口１１とチューブ部３０とは隙間無く接続されているため、ユーザは指サック部１０に指を入れても、指をインクで汚す心配は無い。
【００１３】
インクタンク部２０は、片手で握りやすい形状及び大きさのタンクを備える。タンクは中空で、例えば硬度３０度程度の適度の弾性のゴム等の素材でできており、タンク内に絵具等のインクを格納できるようになっている。インクタンク部２０の一方の端には、チューブ部３０が接続されており、インクが格納されたインクタンク部２０をユーザが握る等して圧力をかけると、インクがチューブ部３０に供給されるようになっている。インクタンク部２０のもう一方の端には、インク補充口２１を備え、インク補充口２１からインクタンク部２０にインクを補充できるようになっている。インク補充口２１は、ペットボトルのキャップと同様のネジ山が成型されている。したがって、ユーザは蓋を回転させることによってインク補充口２１を開け閉めすることができる。インクタンク部２０には、例えばアクリル絵の具が格納される。
【００１４】
チューブ部３０は、例えばシリコン素材の内径３ｍｍ、外径５ｍｍのチューブでできており、インクタンク部２０と指サック部１０のチューブ接続口１１との間を接続している。チューブ部３０の指サック部１０側の端部はインク排出口３１であり、指サック部１０のチューブ接続口１１と隙間無く接続されている。インクタンク部２０に格納されたインクは、インクタンク部２０をユーザが握る等すると、チューブ部３０を通って、指サック部１０のチューブ接続口１１に接続されているインク排出口３１から排出される。
【００１５】
また、チューブ部３０は、インク排出口３１の先にペン先部４０を接続するためのペン先接続部３２を備えてもよい。ペン先接続部３２は、例えばプラスチックで成型され、ペン先部４０がぴったりと嵌まるアタッチメントになっている。ペン先部４０としては、図２に示すように、様々な形態のものを用意することができる。ペン先部４０の接続部４１も例えばプラスチックで成型され、その外径はペン先接続部３２の内径と一致するようになっている。そのため、接続部４１とペン先接続部３２とを接続する際には、ペン先接続部３２に接続部４１を挿入すると、ぴったりと嵌まる形になっている。
【００１６】
図２（ａ）は、細い線を描くための細字用ペン先部を示しており、このペン先部４０は、チューブ部３０のペン先接続部３２と接続する接続部４１と、インクを排出する小さな穴（例えば直径０．５ｍｍの穴）が開いているペン先４２と、を備える。
【００１７】
図２（ｂ）は、中くらいの太さの線を描くための中太用ペン先部を示しており、このペン先部４０は、チューブ部３０のペン先接続部３２と接続する接続部４１と、インクを排出する中くらい太さの穴（例えば直径１．５ｍｍの穴）が開いているペン先４２と、を備える。
【００１８】
図２（ｃ）は、極太の線を描くための極太用ペン先部を示しており、このペン先部４０は、チューブ部３０のペン先接続部３２と接続する接続部４１と、インクを幅広い面積で排出するための形状（例えば直径１ｃｍの円の底面を持つ高さ５ｍｍの円柱状）のスポンジ４３と、を備える。また、インク排出面４６にインクを排出する穴が開いており（この穴は１つでもよいし複数でもよい）、この穴を通してインクがスポンジ４３に供給される。
【００１９】
図２（ｄ）は、ブラシで描くためのブラシペン先部を示しており、このペン先部４０は、チューブ部３０のペン先接続部３２と接続する接続部４１と、ブラシ４４と、を備える。また、インク排出面４６にインクを排出する穴が開いており（この穴は１つでもよいし複数でもよい）、この穴を通してインクがブラシ４４に供給される。
【００２０】
図２（ｅ）は、毛筆で描くための毛筆ペン先部を示しており、このペン先部４０は、チューブ部３０のペン先接続部３２と接続する接続部４１と、毛筆４５と、を備える。また、インク排出面４６にインクを排出する穴が開いており（この穴は１つでもよいし複数でもよい）、この穴を通してインクが毛筆４５に供給される。
【００２１】
このように、様々な形態のペン先部４０を用意することができるため、ユーザは用途に応じて、適切なペン先部４０を選択して、ペン先接続部３２に接続して使用することができる。
【００２２】
なお、ペン先接続部３２に直接ペン先部４０を接続して使用すると、インクが排出される部分と指サック部１０との距離が近いため、指サック部が汚れやすくなる。また、ユーザの好みや、描くものの性質によっては、指先からペン先部４０までの距離を長くしたい場合もありうる。このため、図３に示すようなペン先延長部５０を用意することもできる。
【００２３】
ペン先延長部５０は例えばプラスチックで形成され、ペン先延長部５０の接続部５１の外径はペン先接続部３２の内径と一致するようになっている。また、ペン先延長部５０のペン先接続部５２の内径はペン先部４０の接続部４１の外径と一致するようになっている。そのため、ペン先部４０の接続部４１とペン先延長部５０のペン先接続部５２とを接続する際には、ペン先接続部５２に接続部４１を挿入すると、ぴったりと嵌まる形になっている。また、ペン先延長部５０の接続部５１とチューブ部３０のペン先接続部３２とを接続する際には、ペン先接続部３２に接続部５１を挿入すると、ぴったりと嵌まる形になっている。
【００２４】
図３（ａ）は、単に指サックからペン先までの距離を長くしたい場合に用いる通常のペン先延長部を示している。このペン先延長部５０は、チューブ部３０のペン先接続部３２と接続する接続部５１と、ペン先部４０の接続部４１と接続するペン先接続部５２と、を備える。
【００２５】
図３（ｂ）は、ペン先に角度を付けたい場合に用いる角度付きペン先延長部を示している。このペン先延長部５０も、チューブ部３０のペン先接続部３２と接続する接続部５１と、ペン先部４０の接続部４１と接続するペン先接続部５２と、を備える。
【００２６】
このように、ペン先延長部５０も様々な形態のものを用意することができるため、ユーザは好みや用途に応じて適切なペン先延長部５０を選択して、ペン先接続部３２と、ペン先部４０との間に接続して使用することができる。なお、ペン先に角度を付けたい場合には、上述した図３（ｂ）に示す角度付きペン先延長部を用いてもよいが、ペン先部４０自体を接続部４１とペン先４２との間に角度を付けて成型してもよい。
【００２７】
筆記具１００を使用する際には、例えば図４に示すように、ユーザは、右手の人差し指を指サック部１０に差し込み、掌でインクタンク部２０を握る。そして、描画対象となる被描画材（例えば紙）にインク排出口３１を当てることによって描画することができる。ユーザは、インク排出口３１を移動させる速度や、インクタンク部２０に加える圧力（インクタンク部２０を握る力）によって、インクがインク排出口３１から排出される量を制御することができる。したがって、ユーザは、これら、移動速度（ペン先の移動速度）、圧力（筆圧力）、握力（流出量）等により、描画される濃度（色の濃淡）、太さ（書く線の太さ）、かすれ等の筆圧でのタッチ具合等を調節することができる。
【００２８】
図４では、ペン先接続部３２にペン先部４０を接続せずに、インク排出口３１から排出されるインクを用いて描画する例を示している。インク排出口３１の大きさ（例えば直径３ｍｍの円）が描画に適している場合は、ペン先部４０を使用せずに筆記具１００を使用してもよい。
【００２９】
そして、ユーザは、描く線の太さを変えたい、ブラシによる効果を表現したい、毛筆で描きたい等の要望がある場合には、その要望に合ったペン先部４０をペン先接続部３２に接続して筆記具１００を使用してもよい。
【００３０】
また、筆記具１００を用いて描画している際は、手がインクと触れやすい状態になるため、手が汚れないようにするために、ビニール手袋等を手に装着してから、筆記具１００を使用してもよい。
【００３１】
インクタンク部２０に格納するインクは、絵画用のアクリル絵具や油絵具を用いるのが望ましい。これらの絵具は適度な粘性を持っているので、インク排出口３１やペン先部４０からの排出量を制御しやすいためである。また、絵具だけでなく、絵具と同様の適度な粘性を持つインクや、ある程度の力が加わらないと流れ出さない性質を持つビンガム流体のインクであれば、絵具と同様に扱うことができる。
【００３２】
しかし、インクは絵具等に限定されるわけではない。例えば、ペン先部４０を毛筆ペン先部にすることにより、インクとして墨汁を使用すると、指先で毛筆体の文字を書くことができる。この場合、チューブ部３０の直径を、インク（墨汁）の粘性の少なさに応じて小さくした方が、インクの排出量を制御しやすくなる。インクタンク部２０を握る力でインクの流出量を制御する場合、チューブ部３０のチューブにインクが流れる際の管路抵抗はインクの粘度に比例し、チューブの内径に反比例し、チューブの長さに比例するためである。
【００３３】
また、インクの粘度が小さい場合（墨汁等の場合）は、ペン先接続部３２に必ずペン先部４０を接続してから使用することにより、インク排出口３１からの液だれを防ぐことができる。この場合、ペン先部４０の先端部の外径が大きいほどインクの表面張力による「液だれしないようにする上向きの力」が強くなる。より詳細には、「液だれしないようにする上向きの力」をＦ、ペン先部４０の先端部の外径をＲ、インクの表面張力をγ、インクとペン先部４０の先端部との接触角をθとすると、Ｆは以下の式（１）で表すことができる。
Ｆ＝２πＲ×γ×ｃｏｓθ  ・・・（１）
【００３４】
そして、インクの滴の質量をＭ、重力加速度をｇとすると、以下の式（２）が満たされれば、液だれしない（滴が止まる）。
Ｍ×ｇ＜Ｆ  ・・・（２）
したがって、インクの粘度が小さい場合（墨汁等の場合）に用いるペン先部４０の先端部は内径に比べて外径をかなり大きく（例えば３〜５倍）設定するのが望ましい。例えば、インク排出用の穴の直径（内径）が０．５ｍｍのペン先部４０の先端部の外径は２ｍｍとし、インク排出用の穴の直径（内径）が１ｍｍのペン先部４０の先端部の外径は４ｍｍとする。
【００３５】
以上より、筆記具１００は、インクタンク部２０に蓄えるインクの性質（流体モデル、粘度等）に応じて、適切な太さのチューブ部３０を備えることが望ましい。簡単には、インクがアクリル絵具、油絵具等（粘度１〜１００Ｐａ・ｓ）の絵具の場合はチューブ部３０のチューブの内径を２ｍｍ以上５ｍｍ以下とする。そして、インクが墨汁や水に溶かした水彩絵の具等（粘度０．１〜１０ｍＰａ・ｓ）の場合はチューブ部３０のチューブの内径を１ｍｍ以上２ｍｍ以下とし、インク排出用の穴の直径（内径）が０．５ｍｍ（外径は２ｍｍ）のペン先部４０や、インク排出用の穴の直径（内径）が１ｍｍ（外径は４ｍｍ）のペン先部４０を接続して使用するのがよい。
【００３６】
インクがアクリル絵具、油絵具等（粘度１〜１００Ｐａ・ｓ）の場合、インクにある程度圧力が加わらないとインクが流れ出さないが、チューブ部３０のチューブの内径が２ｍｍ未満の場合は、インクタンク部２０に加えた圧力がチューブ部３０に伝達しにくくなる。逆にチューブ部３０のチューブの内径が５ｍｍを超えると、インクタンク部２０に少し圧力を加えただけでインクがチューブ部３０内を勢いよく流れ出してしまう可能性が高くなり、インクの排出量の制御をするのが難しくなる。したがって、インクタンク部２０にアクリル絵具、油絵具等（粘度１〜１００Ｐａ・ｓ）のインクを格納する場合には、チューブ部３０のチューブの内径を２ｍｍ以上５ｍｍ以下とするのが望ましい。
【００３７】
また、インクが墨汁や水に溶かした水彩絵の具等（粘度０．１〜１０ｍＰａ・ｓ）の場合、チューブ部３０のチューブの内径が２ｍｍを超えるとインクタンク部２０に格納されたインクは、インクタンク部２０に圧力を加えなくても、引力等によってインク排出口３１から流れ出してしまう可能性が高くなる。しかし、チューブ部３０のチューブの内径が１ｍｍ未満の場合は、インク詰まりの原因にもなってしまう。したがって、インクタンク部２０に墨汁や水に溶かした水彩絵の具等（粘度０．１〜１０ｍＰａ・ｓ）等のインクを格納する場合には、チューブ部３０のチューブの内径を１ｍｍ以上２ｍｍ以下とするのが望ましく、液だれを防止するために、インク排出用の穴の直径（内径）が０．５ｍｍ（外径は２ｍｍ）のペン先部４０や、インク排出用の穴の直径（内径）が１ｍｍ（外径は４ｍｍ）のペン先部４０を接続して使用するのが望ましい。
【００３８】
なお、毛筆体の文字を書く際には、手と紙との間にある程度距離があった方が書きやすいことが多いが、その場合には、ペン先延長部５０を用いて手と紙の間の距離を確保することができる。
【００３９】
（第２の実施形態）
筆記具１００は、指先の直下で描くことができるというメリットがある反面、指サック部１０にチューブ接続口１１とチューブ挿入口１２とを開ける必要があるため製造が若干煩雑になる。そこで、指サック部１０にチューブ接続口１１もチューブ挿入口１２も開ける必要がない本発明の第２の実施形態について説明する。
【００４０】
図５（ａ）に示すように、本発明の第２の実施形態に係る筆記具１０１は、筆記具１００と同様に、指サック部１０と、インクタンク部２０と、チューブ部３０と、を備える。そして、指サック部１０とインクタンク部２０とが、チューブ部３０によって接続されている点も筆記具１００と同様である。
【００４１】
筆記具１０１が筆記具１００と異なる点は、図５（ａ）及び図５（ｂ）に示すように、チューブ部３０が指サック部１０の内部を通らずに指サック部１０の外側に連結されている点と、ペン先接続部３２の外径がチューブ部３０のチューブの外径よりも細くなっている点である。筆記具１００では、ペン先部４０をペン先接続部３２に接続する際には、ペン先部４０の接続部４１をペン先接続部３２に挿入する形だったが、筆記具１０１ではこれが逆になる。つまり、ペン先部４０をペン先接続部３２に接続する際には、ペン先接続部３２をペン先部４０の接続部４１に挿入する形になる。
【００４２】
図６に示すように、筆記具１０１のペン先部４０の接続部４１の外径はチューブ部３０のチューブの外径とほぼ同じ太さであり、接続部４１の内径がペン先接続部３２の外径と一致するようになっている。このため、ペン先部４０を接続する際には、ペン先部４０の接続部４１にペン先接続部３２を挿入すると、ぴったりと嵌まる形になっている。
【００４３】
また、図７に示すように、筆記部１０１のペン先延長部５０の接続部５１の外径はチューブ部３０のチューブの外径とほぼ同じ太さであり、接続部５１の内径がペン先接続部３２の外径と一致するようになっている。また、ペン先延長部５０のペン先接続部５２の外径はペン先部４０の接続部４１の内径と一致するようになっている。そのため、ペン先部４０の接続部４１とペン先延長部５０のペン先接続部５２とを接続する際には、接続部４１にペン先接続部５２を挿入すると、ぴったりと嵌まる形になっている。また、ペン先延長部５０の接続部５１とチューブ部３０のペン先接続部３２とを接続する際には、接続部５１にペン先接続部３２を挿入すると、ぴったりと嵌まる形になっている。
【００４４】
ただし、筆記具１０１のペン先部４０の接続部４１とペン先接続部３２との太さの関係はこれに限定されるものではない。筆記具１００と同様に、接続部４１の外径をペン先接続部３２の内径と一致するようにしてもよい。この場合は、筆記具１００と同様に、接続部４１とペン先接続部３２とを接続する際には、ペン先接続部３２に接続部４１を挿入すると、ぴったりと嵌まる形になる。
【００４５】
（アートセラピーへの応用）
絵画を楽しみながら描くことによって脳を活性化させ、認知症の予防及び症状改善、子どもの感性教育等を行うアートセラピーでも美術道具としての筆記具を使っている。しかし、従来は、筆記具そのものに効率的な脳の活性化効果を狙ったものはなかった。筆記具１００，１０１は、アートセラピーに用いると効率的な脳の活性化効果を得ることができるので、この点に関しても以下に説明する。
【００４６】
最近の研究で、脳の中央にある中心溝の奥深くに新しい運動野が発見された。そして、手のひらを使う動作（重いものや硬いものを握る動作等。強制把握（パワーグリップ）という。）を行うと脳の古い運動野が働き、指先を使う動作（小さなものをつまんだり、指先を動かしたりする動作等。精密把握（プレシジョングリップ）という。）を行うと脳の新しい運動野が働くということがわかってきている。したがって、脳の古い運動野と新しい運動野の両方ともを効率よく活性化させるには、手のひらで握る動作と指先をよく使う動作の両方の動作を行うのが望ましい。
【００４７】
この点、筆記具１００，１０１を使う際、ユーザは、インクタンク部２０を握る強さによってインクの流出量を調節し、また、指サック部１０をはめた指先を動かすことによって色を塗ったり線を引いたりする。つまり、筆記具１００，１０１を使うと、ユーザは、手のひらで握る動作と指先を使う動作とを組み合わせた動作を行うことになり、効率的に脳の活性化を行うことができる。したがって、筆記具１００，１０１は、アートセラピーにも適した筆記具であるということができる。
【００４８】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００４９】
（付記）
（付記１）
指にはめる指サック部と、
インクを格納するインクタンク部と、
前記インクタンク部に格納されているインクを前記指サック部に供給するチューブ部と、
を備える筆記具。
【００５０】
（付記２）
前記インクを被描画材に塗布するペン先部をさらに備え、
前記チューブ部は前記ペン先部を接続するペン先接続部を備える、
付記１に記載の筆記具。
【００５１】
（付記３）
前記ペン先部を接続するペン先延長部をさらに備え、
前記チューブ部は前記ペン先接続部に前記ペン先延長部を接続できる、
付記２に記載の筆記具。
【００５２】
（付記４）
前記インクが絵具であり、
前記チューブ部のチューブの内径が２ｍｍ以上５ｍｍ以下である、
付記１から３のいずれか１つに記載の筆記具。
【００５３】
（付記５）
前記インクが墨汁であり、
前記チューブ部のチューブの内径が１ｍｍ以上２ｍｍ以下である、
付記１から３のいずれか１つに記載の筆記具。
【００５４】
（付記６）
前記インクタンク部は、前記インクを補充するためのインク補充口を備える、
付記１から５のいずれか１つに記載の筆記具。
【符号の説明】
【００５５】
１０…指サック部、１１…チューブ接続口、１２…チューブ挿入口、２０…インクタンク部、２１…インク補充口、３０…チューブ部、３１…インク排出口、３２，５２…ペン先接続部、４０…ペン先部、４１，５１…接続部、４２…ペン先、４３…スポンジ、４４…ブラシ、４５…毛筆、４６…インク排出面、５０…ペン先延長部、１００，１０１…筆記具
【図１】
2019116058.tif 000003
【図２】
2019116058.tif 000004
【図３】
2019116058.tif 000005
【図４】
2019116058.tif 000006
【図５】
2019116058.tif 000007
【図６】
2019116058.tif 000008
【図７】
2019116058.tif 000009